【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
光源の光量の制御が可能な表示手段と、
入力される画像信号の信号値のレンジのうち前記表示手段により表示する信号値の範囲である表示レンジの情報を取得する第１取得手段と、
前記画像信号の信号値のレンジ内で基準となる基準信号レベルの情報と、前記基準信号レベルに対応する前記表示手段による表示輝度である基準輝度の情報とを取得する第２取得手段と、
前記第２取得手段により取得された情報に基づき、前記画像信号の信号値と前記表示手段による表示輝度との対応関係を決定する決定手段と、
前記決定手段により決定された前記対応関係と、前記第１取得手段により取得された前記表示レンジとに基づき、前記光源の光量を決定するとともに、前記表示レンジに基づき決定されるゲインを用いて前記画像信号を増幅する処理を行う処理手段と、
前記処理手段により決定された光量及び増幅された画像信号に基づき、前記表示手段を制御する制御手段と、
を有する表示装置。
【請求項２】
前記決定手段は、前記対応関係として前記基準信号レベルと前記基準輝度との比を算出し、
前記処理手段は、前記表示レンジの上限の信号値と前記決定手段により算出された比との積に基づき、前記光源の光量を決定する請求項１に記載の表示装置。
【請求項３】
前記処理手段は、前記表示レンジの上限の信号値の逆数に基づく前記ゲインを算出する請求項１又は２に記載の表示装置。
【請求項４】
前記第１取得手段は、ユーザから入力される表示レンジの情報を取得する請求項１〜３のいずれか１項に記載の表示装置。
【請求項５】
前記第２取得手段は、ユーザから入力される基準信号レベル及び基準輝度の情報を取得する請求項１〜４のいずれか１項に記載の表示装置。
【請求項６】
前記第２取得手段は、前記画像信号のメタデータから前記基準信号レベル及び前記基準
輝度の情報を取得する請求項１〜４のいずれか１項に記載の表示装置。
【請求項７】
前記第２取得手段は、前記画像信号のメタデータから前記画像信号の信号値と前記表示手段による表示輝度との対応関係の情報を取得し、
前記処理手段は、前記第２取得手段により取得された対応関係と前記表示レンジとに基づき前記光源の光量を決定する請求項１〜４のいずれか１項に記載の表示装置。
【請求項８】
前記入力される画像信号のガンマ特性の情報を取得する第３取得手段を更に有し、
前記制御手段は、前記ガンマ特性に基づきガンマ変換した画像信号を前記ゲインを用いて増幅する請求項１〜７のいずれか１項に記載の表示装置。
【請求項９】
前記第３取得手段は、前記画像信号のメタデータから前記画像信号のガンマ特性の情報を取得する請求項８に記載の表示装置。
【請求項１０】
前記表示手段は、前記光源を有する発光手段と、前記発光手段からの光の透過率を画素毎に調節する表示パネルと、を有する請求項１〜９のいずれか１項に記載の表示装置。
【請求項１１】
光源の光量の制御が可能な表示手段を有する表示装置の制御方法であって、
入力される画像信号の信号値のレンジのうち前記表示手段により表示する信号値の範囲である表示レンジの情報を取得する第１取得工程と、
前記画像信号の信号値のレンジ内で基準となる基準信号レベルの情報と、前記基準信号レベルに対応する前記表示手段による表示輝度である基準輝度の情報とを取得する第２取得工程と、
前記第２取得工程で取得された情報に基づき、前記画像信号の信号値と前記表示手段による表示輝度との対応関係を決定する決定工程と、
前記決定工程で決定された前記対応関係と、前記第１取得工程で取得された前記表示レンジとに基づき、前記光源の光量を決定するとともに、前記表示レンジに基づき決定されるゲインを用いて前記画像信号を増幅する処理を行う処理工程と、
前記処理工程により決定された光量及び増幅された画像信号に基づき、前記表示手段を制御する制御工程と、
を有する表示装置の制御方法。
【請求項１２】
前記決定工程では、前記対応関係として前記基準信号レベルと前記基準輝度との比を算出し、
前記処理工程では、前記表示レンジの上限の信号値と前記決定工程により算出された比との積に基づき、前記光源の光量を決定する請求項１１に記載の表示装置の制御方法。
【請求項１３】
前記処理工程では、前記表示レンジの上限の信号値の逆数に基づく前記ゲインを算出する請求項１１又は１２に記載の表示装置の制御方法。
【請求項１４】
前記第１取得工程では、ユーザから入力される表示レンジの情報を取得する請求項１１〜１３のいずれか１項に記載の表示装置の制御方法。
【請求項１５】
前記第２取得工程では、ユーザから入力される基準信号レベル及び基準輝度の情報を取得する請求項１１〜１４のいずれか１項に記載の表示装置の制御方法。
【請求項１６】
前記第２取得工程では、前記画像信号のメタデータから前記基準信号レベル及び前記基準輝度の情報を取得する請求項１１〜１４のいずれか１項に記載の表示装置の制御方法。
【請求項１７】
前記第２取得工程では、前記画像信号のメタデータから前記画像信号の信号値と前記表
示手段による表示輝度との対応関係の情報を取得し、
前記処理工程では、前記第２取得工程により取得された対応関係と前記表示レンジとに基づき前記光源の光量を決定する請求項１１〜１４のいずれか１項に記載の表示装置の制御方法。
【請求項１８】
前記入力される画像信号のガンマ特性の情報を取得する第３取得工程を更に有し、
前記制御工程では、前記ガンマ特性に基づきガンマ変換した画像信号を前記ゲインを用いて増幅する請求項１１〜１７のいずれか１項に記載の表示装置の制御方法。
【請求項１９】
前記第３取得工程では、前記画像信号のメタデータから前記画像信号のガンマ特性の情報を取得する請求項１８に記載の表示装置の制御方法。
【請求項２０】
前記表示手段は、前記光源を有する発光手段と、前記発光手段からの光の透過率を画素毎に調節する表示パネルと、を有する請求項１１〜１９のいずれか１項に記載の表示装置の制御方法。
【手続補正２】
【補正対象書類名】明細書
【補正対象項目名】０００７
【補正方法】変更
【補正の内容】
【０００７】
本発明は、光源の光量の制御が可能な表示手段と、
入力される画像信号の信号値のレンジのうち前記表示手段により表示する信号値の範囲である表示レンジの情報を取得する第１取得手段と、
前記画像信号の信号値のレンジ内で基準となる基準信号レベルの情報と、前記基準信号レベルに対応する前記表示手段による表示輝度である基準輝度の情報とを取得する第２取得手段と、
前記第２取得手段により取得された情報に基づき、前記画像信号の信号値と前記表示手段による表示輝度との対応関係を決定する決定手段と、
前記決定手段により決定された前記対応関係と、前記第１取得手段により取得された前記表示レンジとに基づき、前記光源の光量を決定するとともに、前記表示レンジに基づき決定されるゲインを用いて前記画像信号を増幅する処理を行う処理手段と、
前記処理手段により決定された光量及び増幅された画像信号に基づき、前記表示手段を制御する制御手段と、
を有する表示装置である。
【手続補正３】
【補正対象書類名】明細書
【補正対象項目名】０００８
【補正方法】変更
【補正の内容】
【０００８】
本発明は、光源の光量の制御が可能な表示手段を有する表示装置の制御方法であって、
入力される画像信号の信号値のレンジのうち前記表示手段により表示する信号値の範囲である表示レンジの情報を取得する第１取得工程と、
前記画像信号の信号値のレンジ内で基準となる基準信号レベルの情報と、前記基準信号レベルに対応する前記表示手段による表示輝度である基準輝度の情報とを取得する第２取得工程と、
前記第２取得工程で取得された情報に基づき、前記画像信号の信号値と前記表示手段による表示輝度との対応関係を決定する決定工程と、
前記決定工程で決定された前記対応関係と、前記第１取得工程で取得された前記表示レ
ンジとに基づき、前記光源の光量を決定するとともに、前記表示レンジに基づき決定されるゲインを用いて前記画像信号を増幅する処理を行う処理工程と、
前記処理工程により決定された光量及び増幅された画像信号に基づき、前記表示手段を制御する制御工程と、
を有する表示装置の制御方法である。